(57)【要約】【課題】密閉された空間内で発生する粉塵の飛散を防止する粉塵飛散防止具を提供する。【解決手段】  ４つのスライド支柱１０、４つの連結ポール１４、４つの伸縮ポール１６、吸気フィルタ２０、排気板２２、及び養生フィルム（不図示）から粉塵飛散防止具１（ブース２）が構成され、そのブース２内の粉塵を含む気体が排気装置３０により排気チューブ３５を介して建設物外に排気される。ブース２内の気体が排気されても、吸気フィルタ２０を介してブース２外（ブース２の−Ｘ側）から気体がブース２内に吸気されるため、ブース２内は負圧になることなく一定の気圧を維持する。それにより、養生フィルム（不図示）の隙間等を介してブース２外から気体が吸気されることなく、粉塵の飛散が防止される。【選択図】図１
2015199029.tif 000002
【特許請求の範囲】
【請求項１】
密閉された空間内で発生する粉塵の飛散を防止する粉塵飛散防止具であって、
前記空間を密閉する壁部材と、
前記壁部材に設けられ、前記空間内の気体を前記空間外に排気する排気口と、
前記壁部材に設けられ、前記空間外の気体を前記空間内に吸気する吸気フィルタとを備えることを特徴とする、粉塵飛散防止具。
【請求項２】
前記吸気フィルタは、不織布を含んで構成されることを特徴とする、請求項１に記載の粉塵飛散防止具。
【請求項３】
前記排気口及び前記吸気フィルタは、前記空間を挟んで対向する前記壁部材上の位置に設けられることを特徴とする、請求項１又は２に記載の粉塵飛散防止具。
【請求項４】
前記排気口には、前記空間内の気体を前記空間外に排気する排気ファン及び集塵フィルタが取り付けられることを特徴とする、請求項１〜３のいずれか一項に記載の粉塵飛散防止具。
【発明の詳細な説明】
【技術分野】
【０００１】
本発明は、密閉された空間内で発生する粉塵の飛散を防止する粉塵飛散防止具に関する。
【背景技術】
【０００２】
建築物の内装工事等、室内での作業により発生する粉塵は、作業員の健康障害の原因となる（例えば、特許文献１参照）。そこで、効率良く集塵して、室内をクリーンに維持することが望まれる。しかし、室内が例えば養生等により密閉されている場合、排気ファンを用いて室内の空気を排気しても、室内が負圧になるため集塵効率が落ちる。また、養生の隙間等から空気が室内に入ることで室内の粉塵が飛散するという問題がある。
【先行技術文献】
【特許文献】
【０００３】
【特許文献１】特開２０１３−７９５０７号公報
【発明の概要】
【発明が解決しようとする課題】
【０００４】
本発明は、密閉された空間内で発生する粉塵の飛散を防止する粉塵飛散防止具を提供することを課題とする。
【課題を解決するための手段】
【０００５】
本発明の粉塵飛散防止具は、
密閉された空間内で発生する粉塵の飛散を防止する粉塵飛散防止具であって、
前記空間を密閉する壁部材と、
前記壁部材に設けられ、前記空間内の気体を前記空間外に排気する排気口と、
前記壁部材に設けられ、前記空間外の気体を前記空間内に吸気する吸気フィルタとを備えることを特徴とする。
【０００６】
これによれば、排気口を介して空間内の気体が空間外に排気されても吸気フィルタを介して空間外から気体が吸気されるため、空間内の気圧が負圧になることなく維持される。
【０００７】
本発明の粉塵飛散防止具は、
前記吸気フィルタは、不織布を含んで構成されることを特徴とする。
【０００８】
これによれば、空間内の気体が吸気フィルタを介して空間外に排気されても、吸気フィルタにより粉塵が除去される。
【０００９】
本発明の粉塵飛散防止具は、
前記排気口及び前記吸気フィルタは、前記空間を挟んで対向する前記壁部材上の位置に設けられることを特徴とする。
【００１０】
これによれば、排気口及び吸気フィルタが対向する位置に設けられているため、空間内の気体が効率良く入れ換えられる。それにより、空間内の粉塵を効率良く集めることができる。
【００１１】
本発明の粉塵飛散防止具は、
前記排気口には、前記空間内の気体を前記空間外に排気する排気ファン及び集塵フィルタが取り付けられることを特徴とする。
【００１２】
これによれば、排気ファンにより、粉塵を含む空間内の気体が排気される。集塵フィルタにより、空間外に粉塵を拡散しないことができる。
【発明の効果】
【００１３】
本発明の粉塵飛散防止具によれば、密閉された空間内で発生する粉塵の飛散を防止することが可能となる。
【図面の簡単な説明】
【００１４】
【図１】図１は、本実施形態に係る粉塵飛散防止具の構成を示す図である。
【発明を実施するための形態】
【００１５】
以下、本発明の一実施形態を、図１を用いて説明する。
【００１６】
図１に、本実施形態に係る粉塵飛散防止具１の構成を示す。粉塵飛散防止具１は、一例として、建築物の室内に組み立てられている。粉塵飛散防止具１は、４つのスライド支柱１０、４つの連結ポール１４、４つの伸縮ポール１６、吸気フィルタ２０、排気板２２、養生フィルム（不図示）、及び排気装置３０から構成される。
【００１７】
４つのスライド支柱１０は、例えば１８００〜３３００ｍｍの範囲で伸縮可能な金属製（又は樹脂、木製等でもよい）の支柱である。スライド支柱１０は床面Ｆ上の＋Ｙ側及び−Ｙ側にＸ軸方向に離間して各２立設され、それらの先端は建築物の天井面（不図示）に固定されている。
【００１８】
４つの連結ポール１４は、一例として１８００ｍｍの金属製（又は樹脂、木製等でもよい）のポールである。２つの連結ポール１４は、Ｘ軸方向にその長手を向けて、それぞれ＋Ｙ側の２つのスライド支柱１０の上端近傍及び下端を連結する。残りの２つの連結ポール１４は、Ｘ軸方向にその長手を向けて、それぞれ−Ｙ側の２つのスライド支柱１０の上端近傍及び下端を連結する。
【００１９】
４つの伸縮ポール１６は、一例として９００〜１７００ｍｍの範囲で伸縮可能な金属製（又は樹脂、木製等でもよい）のポールである。ここでは、９００ｍｍの長さに固定されているものとする。２つの伸縮ポール１６は、Ｙ軸方向にその長手を向けて、それぞれ＋Ｘ側の２つのスライド支柱１０の上端近傍及び下端を連結する。残りの２つの伸縮ポール１６は、Ｙ軸方向にその長手を向けて、それぞれ−Ｘ側の２つのスライド支柱１０の上端近傍及び下端を連結する。
【００２０】
吸気フィルタ２０は、−Ｘ側の２つのスライド支柱１０とそれらの下端を連結する伸縮ポール１６との間に固定される。吸気フィルタ２０は、２つの矩形状の金網とその間に挟まれた矩形状の不織布とから構成される。不織布は、２つの金網により挟まれることで、一面に広がる形を維持する。
【００２１】
排気板２２は、＋Ｘ側の２つのスライド支柱１０とそれらの下端を連結する伸縮ポール１６との間に固定される。排気板２２は、例えばアルポリック板（表面にアルミニウム、芯材に樹脂を使用した３層構造のアルミ樹脂複合板）であり、その−Ｙ側には円形の開口２２ａが形成されている。開口２２ａには、金属網３２が取り付けられている。
【００２２】
養生フィルム（不図示）は、例えばポリエチレン製のシート状部材である。養生フィルムは、ビニル製のテープ等を用いて、＋Ｙ側及び−Ｙ側のそれぞれに配置されたスライド支柱１０と連結ポール１４とにより囲まれる２つの面、さらに天井面（不図示）とにより囲まれる２つの面、−Ｘ側に配置されたスライド支柱１０と上側の伸縮ポール１６と吸気フィルタ２０とにより囲まれる面、そのスライド支柱１０と伸縮ポール１６と天井面（不図示）とにより囲まれる面、＋Ｘ側に配置されたスライド支柱１０と上側の伸縮ポール１６と排気板２２とにより囲まれる面、及びそのスライド支柱１０と伸縮ポール１６と天井面（不図示）とにより囲まれる面、のそれぞれに張られる。それにより、作業空間を密閉するブース２が形成される。
【００２３】
排気装置３０は、排気ファン３３、集塵フィルタ３４、及び排気チューブ３５から構成される。排気ファン３３は、排気板２２の開口２２ａに取り付けられている。排気ファン３３を作動すると、粉塵を含むブース２内の気体が、排気チューブ３５を介してブース２外に排気される。集塵フィルタ３４は、排気ファン３３の排気口及び排気チューブ３５の間に固定されている。集塵フィルタ３４は、バグフィルタ等のろ布を複数含み、排気ファン３３により排気される空気に含まれる集塵を効率良くろ過する。排気チューブ３５は、集塵フィルタ３４から建設物外まで配設されている。
【００２４】
以上詳細に説明したように本実施形態の粉塵飛散防止具１によると、４つのスライド支柱１０、４つの連結ポール１４、４つの伸縮ポール１６、吸気フィルタ２０、排気板２２、及び養生フィルム（不図示）からブース２が構成され、そのブース２内の粉塵を含む気体が排気装置３０により排気チューブ３５を介して建設物外に排気される。ブース２内の気体が排気されても、吸気フィルタ２０を介してブース２外（ブース２の−Ｘ側）から気体がブース２内に吸気されるため、ブース２内は負圧になることなく一定の気圧を維持する。それにより、養生フィルム（不図示）の隙間等を介してブース２外から気体が吸気されることなく、粉塵の飛散が防止される。
【００２５】
また、不織布を含んで吸気フィルタ２０を構成することで、ブース内の気体が吸気フィルタ２０を介してブース外に排気されても、吸気フィルタ２０により粉塵が除去される。すなわち、粉塵がブース外に飛散することがない。
【００２６】
また、吸気フィルタ２０と排気板２２（開口２２ａ）とは、それぞれ、ブース２内の空間を挟んでＸ軸方向の一側及び他側に配置されている。それにより、ブース２内の全体の気体が効率良く入れ換えられ、ブース２内の粉塵を効率良く集めることができる。なお、吸気フィルタ２０と排気板２２（開口２２ａ）とは対向する位置に配置するに限らず、ブース２内の空間全体を挟む位置に配置するとよい。
【産業上の利用可能性】
【００２７】
本発明の粉塵飛散防止具は、密閉された空間内で発生する粉塵の飛散を防止するのに好適である。
【符号の説明】
【００２８】
１    粉塵飛散防止具
２    ブース
１０    スライド支柱
１４    連結ポール
１６    伸縮ポール
２０    吸気フィルタ
２２    排気板
２２ａ  開口
３０    排気装置
３２    金属網
３３    排気ファン
３４    集塵フィルタ
３５    排気チューブ
【図１】
2015199029.tif 000003